(57)【特許請求の範囲】
【請求項１】
それぞれ異なるキャリア周波数のリモコン信号を受光する複数のリモコン受光素子を有する受光部と、
前記受光部がリモコン信号を受光したとき、前記複数のリモコン受光素子それぞれから出力されるパルス信号のパルスの数をカウントする複数のパルスカウント部と、
前記複数のパルスカウント部によるパルスのカウント値を比較することによって、前記受光部が受光したリモコン信号のキャリア周波数を判定する比較判定部と、
前記比較判定部が判定したキャリア周波数を示すデータを記憶するキャリア周波数記憶部と、
前記受光部より出力されたパルス信号を、前記キャリア周波数記憶部に記憶されたデータに基づくキャリア周波数で変調して再送信する再送信部と、
を備えることを特徴とするリモコン信号再送信装置。
【請求項２】
前記再送信部は、
それぞれ異なるキャリア周波数のキャリアを発生する複数のキャリア発生部と、
前記キャリア周波数記憶部に記憶されたキャリア周波数に基づいて、前記複数のキャリア発生部の内のいずれかを選択するキャリア選択部と、
前記キャリア周波数記憶部に記憶されたキャリア周波数に基づいて、前記複数のリモコン受光素子より出力されたパルス信号のいずれかを選択する信号選択部と、
前記信号選択部が選択したパルス信号を、前記キャリア選択部が選択したキャリア周波数のキャリアで変調する変調部と、
前記変調部より出力された変調信号をリモコン信号に変換して出力する出力素子と、
を備えることを特徴とする請求項１記載のリモコン信号再送信装置。
【請求項３】
前記受光部が受光したリモコン信号が、キャリア周波数を判定するための判定用パルス信号によるリモコン信号であるか否かを検出する判定用信号検出部をさらに備え、
前記判定用信号検出部が判定用パルス信号によるリモコン信号であると検出した場合に、前記比較判定部が判定したキャリア周波数を示すデータを前記キャリア周波数記憶部に記憶させる
ことを特徴とする請求項１または２に記載のリモコン信号再送信装置。
【請求項４】
前記受光部は、加速度センサを備えたリモコン送信機が振られた場合に前記リモコン送信機から出力される判定用パルス信号によるリモコン信号を受光する
ことを特徴とする請求項３記載のリモコン信号再送信装置。
【発明の詳細な説明】
【技術分野】
【０００１】
本発明は、リモコン信号を受信して再送信するリモコン信号再送信装置に係り、特に、複数のキャリア周波数に対応してリモコン信号を再送信することができるリモコン信号再送信装置に関する。
【背景技術】
【０００２】
赤外線を用いたリモコン信号を受信して再送信するリモコン信号再送信装置が知られている。リモコン信号再送信装置は、リモコン信号によって操作される電子機器がリモコン送信機によって電子機器を操作しようとする場所から離れて設置されている場合に用いられる。また、リモコン信号再送信装置は、電子機器に設けられているリモコン信号の受光部が何らかの遮蔽物で遮蔽されてしまう場合にも用いられる。リモコン信号再送信装置は例えば特許文献１，２に記載されている。
【先行技術文献】
【特許文献】
【０００３】
【特許文献１】特開２００１−１６６６８号公報
【特許文献２】特開２００５−３４７８５８号公報
【発明の概要】
【発明が解決しようとする課題】
【０００４】
特許文献１，２に記載のリモコン信号再送信装置においては、赤外線によるリモコン信号を一旦電波に変換して送信し、送信された電波を受信して再び赤外線によるリモコン信号に変換している。一旦電波に変換して送信するようにしたリモコン信号再送信装置は、リモコン送信機によって操作する場所と電子機器の設置場所とが離れている場合には有効であるが、高価となってしまう。リモコン信号再送信装置を、電子機器に設けられているリモコン信号の受光部が遮蔽物で遮蔽されてしまうという不具合を解消する場合に用いる場合には、電波に変換して送信する構成は必要ない。そこで、安価に実現できるリモコン信号再送信装置が望まれる。
【０００５】
ところで、赤外線によるリモコン信号は、データ値０と１のベースバンド信号を所定の周波数のキャリア（搬送波）で変調したものである。リモコン信号のキャリア周波数は３８ｋＨｚ，５７ｋＨｚ等複数存在している。そこで、複数のキャリア周波数に対応してリモコン信号を再送信することができるリモコン信号再送信装置が望まれる。
【０００６】
本発明はこのような要望に対応するため、安価で、複数のキャリア周波数に対応してリモコン信号を再送信することができるリモコン信号再送信装置を提供することを目的とする。
【課題を解決するための手段】
【０００７】
本発明は、上述した従来の技術の課題を解決するため、それぞれ異なるキャリア周波数のリモコン信号を受光する複数のリモコン受光素子（１ａ，１ｂ）を有する受光部（１）と、前記受光部がリモコン信号を受光したとき、前記複数のリモコン受光素子それぞれから出力されるパルス信号のパルスの数をカウントする複数のパルスカウント部（２ａ，２ｂ）と、前記複数のパルスカウント部によるパルスのカウント値を比較することによって、前記受光部が受光したリモコン信号のキャリア周波数を判定する比較判定部（３）と、前記比較判定部が判定したキャリア周波数を示すデータを記憶するキャリア周波数記憶部（５）と、前記受光部より出力されたパルス信号を、前記キャリア周波数記憶部に記憶されたデータに基づくキャリア周波数で変調して再送信する再送信部（１５）とを備えることを特徴とするリモコン信号再送信装置を提供する。
【０００８】
上記のリモコン信号再送信装置において、前記再送信部は、それぞれ異なるキャリア周波数のキャリアを発生する複数のキャリア発生部（６ａ，６ｂ）と、前記キャリア周波数記憶部に記憶されたキャリア周波数に基づいて、前記複数のキャリア発生部の内のいずれかを選択するキャリア選択部（７）と、前記キャリア周波数記憶部に記憶されたキャリア周波数に基づいて、前記複数のリモコン受光素子より出力されたパルス信号のいずれかを選択する信号選択部（８）と、前記信号選択部が選択したパルス信号を、前記キャリア選択部が選択したキャリア周波数のキャリアで変調する変調部（９）と、前記変調部より出力された変調信号をリモコン信号に変換して出力する出力素子（１１）とを備えることが好ましい。
【０００９】
上記のリモコン信号再送信装置において、前記受光部が受光したリモコン信号が、キャリア周波数を判定するための判定用パルス信号によるリモコン信号であるか否かを検出する判定用信号検出部（１３）をさらに備え、前記判定用信号検出部が判定用パルス信号によるリモコン信号であると検出した場合に、前記比較判定部が判定したキャリア周波数を示すデータを前記キャリア周波数記憶部に記憶させるように構成してもよい。
【００１０】
この構成では、前記受光部は、加速度センサ（２０２）を備えたリモコン送信機（２００）が振られた場合に前記リモコン送信機から出力される判定用パルス信号によるリモコン信号を受光することができる。
【発明の効果】
【００１１】
本発明のリモコン信号再送信装置によれば、安価に実現することができ、複数のキャリア周波数に対応してリモコン信号を再送信することができる。
【図面の簡単な説明】
【００１２】
【図１】第１実施形態を示すブロック図である。
【図２】第１，第２実施形態の動作を説明するための波形図である。
【図３】第１，第２実施形態の使用例を示す図である。
【図４】第２実施形態を示すブロック図である。
【図５】第２実施形態で用いるリモコン送信機の一例を示すブロック図である。
【発明を実施するための形態】
【００１３】
以下、本発明のリモコン信号再送信装置の各実施形態について、添付図面を参照して説明する。
【００１４】
＜第１実施形態＞
図１において、第１実施形態のリモコン信号再送信装置１０１は、リモコン送信機２０から発せられた赤外線によるリモコン信号のキャリア周波数を判定する判定モードと、リモコン送信機２０から発せられたリモコン信号を再送信する通常動作モードとを有する。図示していないスイッチ等を操作することによって、オンオフスイッチ４がオン、オンオフスイッチ１０がオフとなって、リモコン信号再送信装置１０１は判定モードとなる。
【００１５】
受光部１は、キャリア周波数３８ｋＨｚのリモコン信号を受光するためのリモコン受光素子１ａと、キャリア周波数５７ｋＨｚのリモコン信号を受光するためのリモコン受光素子１ｂとを有する。キャリア周波数３８ｋＨｚと５７ｋＨｚは単なる例であり、これに限定されるものではない。３種類以上のキャリア周波数を受光するように構成してもよい。受光部１は、リモコン送信機２０からのリモコン信号を受光する。第１実施形態においては、リモコン送信機２０からのリモコン信号のキャリア周波数は、３８ｋＨｚまたは５７ｋＨｚのいずれかとする。
【００１６】
判定モードでリモコン信号のキャリア周波数を判定する場合には、受光部１がリモコン信号を受光する受光感度を意図的に低くすることが好ましい。そこで、ユーザは、通常動作モードから判定モードに切り換えて、リモコン送信機２０のキャリア周波数を判定させようとする場合には、図１に示すように、リモコン送信機２０を例えば左右に軽く振りながら所定のキーを押してリモコン信号を発生させる。リモコン受光素子１ａはキャリア周波数３８ｋＨｚ付近の周波数を通過させるフィルタを備えており、リモコン受光素子１ｂはキャリア周波数５７ｋＨｚ付近の周波数を通過させるフィルタを備えているため、リモコン信号のキャリア周波数とリモコン受光素子１ａ，１ｂのフィルタ周波数とが異なる場合には、リモコン受光素子１ａ，１ｂから出力されるパルスは両者が一致している場合と比較して格段に少なくなる。
【００１７】
これは、リモコン受光素子１ａ，１ｂが、フィルタ通過後の入力信号が所定の振幅以上のときにパルスを発生するよう構成されているためであり、リモコン信号のキャリア周波数とリモコン受光素子のフィルタ周波数とが異なる場合には、フィルタ通過後の入力信号が所定の振幅未満となることが増え、リモコン受光素子から出力されるパルスは両者が一致している場合と比較して格段に少なくなる。なお、フィルタ通過後の入力信号からパルス信号を生成する手段は、リモコン受光素子１ａ，１ｂの外部の手段が有していてもよい。例えば、パルスカウント部２ａ，２ｂや信号選択部８、変調部９が有していてもよい。
【００１８】
なお、リモコン送信機２０を振ってリモコン受光素子１ａ，１ｂへのリモコン信号の入射角度が変化すると、パルスはより一層少なくなる。
【００１９】
図２（Ａ）は受光部１が受光するリモコン信号を概念的に示している。リモコン受光素子１ａまたは１ｂからは、図２（Ｂ）に示すようなパルス信号であるリモコン信号のベースバンド信号が出力される。図２（Ｂ）のベースバンド信号において、隣接するパルス間の時間間隔が所定時間以上であれば１、所定時間未満であれば０となる。リモコン信号のキャリア周波数とフィルタ周波数とが異なる場合には、図２（Ｂ）に示すようなパルス信号は出力されず、出力されるパルスはわずかとなる。リモコン送信機２０を振る代わりに、リモコン送信機２０を意図的に受光部１に向かないようにしてリモコン信号を発生させてもよい。
【００２０】
パルスカウント部２ａは、リモコン受光素子１ａより出力されたパルス信号のパルスの数をカウントする。パルスカウント部２ｂは、リモコン受光素子１ｂより出力されたパルス信号のパルスの数をカウントする。パルスカウント部２ａ，２ｂは、所定の時間内、例えば３秒間のパルスの数をカウントすればよい。比較判定部３は、パルスカウント部２ａによるカウント値とパルスカウント部２ｂによるカウント値とを比較して、パルスが多い方がリモコン信号のキャリア周波数であると判定する。比較判定部３で判定されたキャリア周波数を示すデータは、オンオフスイッチ４を介してキャリア周波数記憶部５へと入力されて記憶される。以上により、リモコン信号のキャリア周波数の判定が終了する。判定モードの期間中、オンオフスイッチ１０がオフになっているので、出力素子１１から不必要なリモコン信号（赤外線信号）が出力されることはない。
【００２１】
リモコン信号再送信装置１０１は、オンオフスイッチ４をオフ、オンオフスイッチ１０をオンとした通常動作モードで次のように動作する。キャリア発生部６ａはキャリア周波数３８ｋＨｚのキャリアを発生し、キャリア発生部６ｂはキャリア周波数５７ｋＨｚのキャリアを発生する。キャリア選択部７は、キャリア発生部６ａが発生するキャリア周波数３８ｋＨｚのキャリアとキャリア発生部６ｂが発生するキャリア周波数５７ｋＨｚのキャリアとのいずれかを選択する。信号選択部８がリモコン受光素子１ａ，１ｂの出力信号のいずれかを選択する。キャリア周波数記憶部５は、記憶しているキャリア周波数を示すデータに基づいて、キャリア選択部７がキャリア発生部６ａ，６ｂのいずれのキャリア周波数を選択するか、信号選択部８がリモコン受光素子１ａ，１ｂのいずれの出力信号を選択するかを制御する。第１実施形態では、キャリア周波数は３８ｋＨｚであると判定したとする。
【００２２】
信号選択部８が選択したリモコン受光素子１ａからの図２（Ｂ）に示すようなパルス信号である出力信号は変調部９に入力される。変調部９は、入力されたパルス信号をキャリア選択部７が選択したキャリア発生部６ａからの３８ｋＨｚのキャリア周波数によって変調する。変調部９より出力される変調信号は概念的に図２（Ｃ）のような波形となる。変調部９より出力された変調信号はオンオフスイッチ１０を介して出力素子１１へと供給される。出力素子１１は、入力された変調信号を赤外線によるリモコン信号に変換して出力する。
【００２３】
図１において、キャリア発生部６ａ，６ｂと、キャリア選択部７と、信号選択部８と、変調部９と、出力素子１１は、受光部１（リモコン受光素子１ａまたは１ｂ）より出力されたパルス信号を、キャリア周波数記憶部５に記憶されたキャリア周波数で変調して再送信する再送信部１５となっている。なお、図１では、オンオフスイッチ１０も含めて再送信部１５としているが、オンオフスイッチ１０を、再送信部１５に含まない構成にしてもよい。
【００２４】
図３は、第１実施形態及び後述する第２実施形態の使用例を示している。ここでは第１実施形態のリモコン信号再送信装置１０１とリモコン送信機２０のみについて説明するが、後述する第２実施形態でも同様である。図３において、リモコン送信機２０は、テレビジョン受像機４０を操作するためのリモコン送信機である。テレビジョン受像機４０の前部に音質向上のためのテレビジョン受像機４０とは別体のスピーカ３０を設置する場合がある。テレビジョン受像機４０のリモコン信号の受光部４１は、テレビジョン受像機４０の下方に設けられている場合が多い。この場合、テレビジョン受像機４０の前部にスピーカ３０を設置すると、受光部４１がスピーカ３０によって遮られてしまうことがある。このような場合には、スピーカ３０内に図１で説明した第１実施形態のリモコン信号再送信装置１０１を内蔵させればよい。
【００２５】
図３において、受光部１はリモコン送信機２０から発せられたリモコン信号を受光する。スピーカ３０が内蔵しているリモコン信号再送信装置１０１は、前述の動作によって出力素子１１から再送信によって生成したリモコン信号を出力する。出力素子１１から出力されたリモコン信号は、テレビジョン受像機４０の受光部４１によって受光される。これによって、受光部４１がスピーカ３０によって遮られていても、リモコン送信機２０によってテレビジョン受像機４０を操作することができる。第１実施形態ではリモコン送信機２０からのリモコン信号のキャリア周波数を３８ｋＨｚとしたが、５７ｋＨｚでも同様に動作する。
【００２６】
＜第２実施形態＞
図４及び図５を用いて第２実施形態について説明する。第２実施形態は、リモコン送信機２０の代わりに、判定用パルスを出力することができるリモコン送信機２００を用いる。そして、第２実施形態のリモコン信号再送信装置１０２は、判定用パルスに基づいてキャリア周波数を判定するように構成したものである。図４において、図１と同一部分には同一符号を付し、その説明を適宜省略することとする。
【００２７】
まず、図５を用いてリモコン送信機２００の構成例について説明する。図５において、リモコン送信機２００は、制御部２０１，加速度センサ２０２，パルス発生部２０３，出力素子２０４を備える。ユーザが第１実施形態と同様にしてリモコン送信機２００を振ると、制御部２０１は加速度センサ２０２からの出力信号に基づいてリモコン送信機２００が振られていることを検出する。パルス発生部２０３は、通常動作モードにおいてテレビジョン受像機４０等の電子機器を操作するための通常のパルス信号を発生する通常パルス発生部２０３１と、判定モードにおいて用いる判定用パルス信号を発生する判定用パルス発生部２０３２とを有する。
【００２８】
制御部２０１は、加速度センサ２０２からの出力信号が所定の値を超えたら、判定用パルス発生部２０３２から判定用パルス信号を発生させる。加速度センサ２０２からの出力信号が所定の値を超えた場合には、ユーザが判定モードとするためにリモコン送信機２００を振っていると判断できる。判定用パルス発生部２０３２から出力された判定用パルス信号は、出力素子２０４に入力される。判定用パルス信号は、所定のキャリア周波数のキャリアによって変調されたパルス信号である。出力素子２０４は、入力された判定用パルス信号を赤外線によるリモコン信号に変換して出力する。
【００２９】
判定用パルス信号としては、通常パルス発生部２０３１が発生する通常のパルス信号では用いない、テレビジョン受像機４０等の電子機器の操作に割り当てられていないコードとすることが好ましい。なお、全ての電子機器の操作に割り当てられていないコードとすることは現実としては難しいため、リモコン送信機２００がテレビジョン受像機４０用のリモコン送信機であれば、各社のテレビジョン受像機の操作に割り当てられていないコードとすることが好ましい。判定用パルス信号のコードを予め定めておく。
【００３０】
所定のキーを押下したら、加速度センサ２０２を動作させるようにしてもよい。ユーザに判定モードとするために意図的にリモコン送信機２００を振らせるよう、所定のキーを押下させつつリモコン送信機２００を振らせてもよい。なお、図５では、通常パルス発生部２０３１と判定用パルス発生部２０３２とを分けているが、これは概念的な構成であり、１つのパルス発生部で、通常動作モードにおいて用いる通常のパルス信号と判定モードにおいて用いる判定用パルス信号との双方を選択的に発生させてもよい。
【００３１】
図４において、リモコン受光素子１ａより出力されたパルス信号は、スイッチ１２の端子ａに入力される。リモコン受光素子１ｂより出力されたパルス信号は、スイッチ１２の端子ｂに入力される。比較判定部３は、判定したリモコン信号のキャリア周波数に基づいて、スイッチ１２が端子ａに接続するか端子ｂに接続するかを制御する。第２実施形態でもキャリア周波数は３８ｋＨｚであるとすると、比較判定部３は端子ａに接続するようスイッチ１２を制御する。スイッチ１２より出力されたリモコン受光素子１ａからのパルス信号は、判定用信号検出部１３に入力される。
【００３２】
なお、リモコン送信機２００から十分大きな出力の判定用パルス信号を出力するようにしたり、各受光素子１ａ，１ｂに十分近い位置から判定用パルス信号を出力するようにしたりすれば、スイッチ１２を省略することができる。その場合、リモコン受光素子１ａから出力されたパルス信号とリモコン受光素子１ｂから出力されたパルス信号との内のいずれかを、判定用信号検出部１３に入力すればよい。
【００３３】
判定用信号検出部１３は、入力されたパルス信号が予め定めたコードの判定用パルス信号であるか否かを検出する。判定用信号検出部１３は、判定用パルス信号であることを検出した場合には、オンオフスイッチ４をオン、オンオフスイッチ１０をオフにして、リモコン信号再送信装置１０２を判定モードとする。オンオフスイッチ４がオンとなることによって、比較判定部３で判定されたキャリア周波数を示すデータはキャリア周波数記憶部５へと入力されて記憶される。その他の動作は、第１実施形態と同じである。
【００３４】
第２実施形態では、加速度センサ２０２を備えるリモコン送信機２００用いたが、加速度センサ２０２を備えず、ユーザが所定の動作をすることによって判定用パルス発生部２０３２から判定用パルス信号を発生するように構成してもよい。リモコン送信機に判定用パルス信号を発生するためのキーを設けて、ユーザがキーを押下したら、制御部２０１は判定用パルス信号を発生させる。通常動作モードで使われているキーを所定時間以上押下したら、判定用パルス信号を発生させてもよいし、通常動作モードで使われている複数のキーを同時に押下したら、判定用パルス信号を発生させてもよい。
【００３５】
本発明は以上説明した各実施形態に限定されるものではなく、本発明の要旨を逸脱しない範囲において種々変更可能である。
【符号の説明】
【００３６】
１  受光部
１ａ，１ｂ  リモコン受光素子
２ａ，２ｂ  パルスカウント部
３  比較判定部
４，１０  オンオフスイッチ
５  キャリア周波数記憶部
６ａ，６ｂ  キャリア発生部
７  キャリア選択部
８  信号選択部
９  変調部
１１  出力素子
１２  スイッチ
１３  判定用信号検出部
１５  再送信部
２０，２００  リモコン送信機
１０１，１０２  リモコン信号再送信装置
【図１】
0005655741.tif 000002
【図２】
0005655741.tif 000003
【図３】
0005655741.tif 000004
【図４】
0005655741.tif 000005
【図５】
0005655741.tif 000006